(57)【要約】      （修正有）【課題】既知の器具に勝る利点を有する、脚のための運動器具を提供する。【解決手段】隣接する平行の移動通路に沿った往復運動のために構成された、フットプレート２４、２６など、１対の支持プレート２４、２６を備える運動器具であって、その移動通路を、関連の、好ましくは緩やかにくぼんだトラック１２によって画定でき、トラック１２が、支持プレート２４、２６を支持する支持面を設けるように働き、往復運動の間にトラック１２に沿って支持プレート２４、２６が移動し、支持面がさらに、移動通路を画定するように働き、少なくとも部分的に、移動通路用の傾斜を画定し、ウェート手段をフットプレート２４、２６によって移動するように、トラック１２上のプレートの２４、２６移動に抵抗するように設ける。【選択図】図１
2011025026.tif 000002
【特許請求の範囲】
【請求項１】
隣接する平行の移動通路に沿った往復運動のために構成された１対の支持プレートと、前記支持プレートを支持する支持面を設ける手段とを備える運動器具であって、前記支持プレートが、往復運動の間に前記支持面に沿って移動し、前記支持面がさらに、前記移動通路を画定するように働き、少なくとも部分的に、移動通路用の傾斜を画定する、運動器具。
【請求項２】
前記傾斜が湾曲した傾斜を含む、請求項１に記載の器具。
【請求項３】
前記傾斜が、中心部分から少なくとも前記移動通路の一端部に向かって上方向に延在する、請求項１または２に記載の器具。
【請求項４】
前記傾斜が、前記移動通路の前記中心部分から前記移動通路の各端部それぞれまで上方向に延在する傾斜した領域を含む、請求項３に記載の器具。
【請求項５】
前記支持面を設ける手段が、トラックを画定する手段を含み、前記支持プレートが、前記トラックに沿って移動するように構成される、請求項１から４のいずれか一項または複数項に記載の器具。
【請求項６】
前記支持面が、前記支持プレートの係合構成を受けるための、または前記支持プレート内で受けられる係合構成をもたらすための、１つまたは複数のトラックの一部として設けられる、請求項１から５のいずれか一項または複数項に記載の器具。
【請求項７】
前記支持プレートそれぞれに別々のトラックが設けられ、前記トラックがそれぞれの組のレールを備える、請求項６に記載の器具。
【請求項８】
請求項１から７のいずれか一項または複数項に記載され、前記傾斜を上る方向の各支持プレートの動きに抵抗する手段を含む、器具。
【請求項９】
こうした動きに抵抗する前記手段が、弾性、摩擦および／または重力の影響のうち１つまたは複数を利用する、請求項８に記載の器具。
【請求項１０】
各支持プレートが、前記移動通路に沿った移動の少なくとも一部の間に少なくとも部分的に前記ウェートを持ち上げるように、少なくとも一時的に前記器具のウェート部分と係合するように構成される、請求項８または９に記載の器具。
【請求項１１】
前記ウェート部分がさらに、前記移動通路の少なくとも一部に沿って移動ように構成され、同様に、前記ウェート部分を、前記移動通路を画定する前記トラックと係合するように設けることができる、請求項１０に記載の器具。
【請求項１２】
前記ウェート部分が、取り外し可能に前記支持プレートと係合するように構成され、それにより、前記支持プレートが前記移動通路の一部分を移動する間にのみ移動する、請求項１０または１１に記載の器具。
【請求項１３】
前記ウェート部分が、接続／延長アームによって前記支持プレートと当接するか、または係合するように構成される、請求項１０、１１または１２に記載の器具。
【請求項１４】
各ウェート部分が、前記傾斜を上って移動する間に前記支持プレートと係合するように構成される、請求項１０から１３のいずれか一項または複数項に記載の器具。
【請求項１５】
前記支持プレートが、傾斜を下る前記移動の一部の間に前記ウェート機構から離れるように構成される、請求項１０から１４のいずれか一項または複数項に記載の器具。
【請求項１６】
前記ウェート部分が、複数のウェートの積層を容易にするための係合構成を有するウェートを備える、請求項１０から１５のいずれか一項または複数項に記載の器具。
【請求項１７】
請求項１から１６のいずれか一項または複数項に記載され、使用者が前記フットプレート上に立つときに把持するように構成されたハンドルバーおよび／またはハンドグリップ手段を含む、器具。
【請求項１８】
前記ハンドルバーおよび／またはハンドグリップ手段が、前記器具に枢動可能に取り付けられる、請求項１７に記載の器具。
【請求項１９】
前記ハンドルバーおよび／またはハンドグリップ手段が、弾性的に枢動可能に取り付けられる、請求項１８に記載の器具。
【請求項２０】
前記ハンドルバーおよび／またはハンドグリップ手段が、使用前または運動動作の一部として、異なる位置に回転できる、請求項１８または１９に記載の器具。
【請求項２１】
前記支持プレートがそれぞれ、前記移動通路に対する前記支持プレートの傾斜角度を変更するように、前記移動通路に対して移動できる、請求項１から２０のいずれか一項または複数項に記載の器具。
【請求項２２】
前記支持プレートとトラックとの間の距離および／または配置を変更でき、必要な場合は、前記動きの通路の上を移動する間に前記フットプレートと前記トラックとの間で何らかの形態の楕円動きを実現できる、請求項１から２１のいずれか一項または複数項に記載の器具。
【発明の詳細な説明】
【技術分野】
【０００１】
本発明は運動器具に関する。
【背景技術】
【０００２】
例えばフィットネスおよびボディトーニングのレベルを向上させるために身体の様々な部位の運動を行うのに使用するための様々な形態の運動器具が一般に知られている。
【０００３】
脚の運動を行うための、大抵は複雑である様々な種類の器具を含む、既知の形態の運動器具が、公共のジムおよび個人ジムで一般に利用可能である。
【０００４】
しかし、また、場合によってはより効率的であり、時間を節約でき、費用対効率の高い運動動作のために、最近では家庭環境での運動が普及している。
【０００５】
しかし、既知の器具の多くは、家庭環境に適するものではなく、不要に複雑であり嵩張ることがあり、したがって使用しないときにその既知の器具を場所を取らずに整然と収納しておくのは容易ではない。
【０００６】
さらに、様々な形態の脚のための運動器具がフレーム構造を含み、これらのフレーム構造は、容易には解体できず、家庭環境で収納するとき、および実際に使用するときには邪魔になることがある。
【発明の概要】
【発明が解決しようとする課題】
【０００７】
本発明の目的は、既知のそのような器具に勝る利点を有する、脚のための運動器具を提供することである。
【０００８】
特に、本発明の目的は、脚のための運動器具であって、構造および操作が比較的単純であり、それにもかかわらず、様々な使用者が行うことができる運動動作の質を改良し、さらなる利点として、比較的コンパクトであり、使用しないときに簡単に収納することができる運動器具を提供することである。
【課題を解決するための手段】
【０００９】
本発明の第１の態様によれば、隣接する平行の移動通路に沿った往復運動のために構成された１対の支持プレートと、前記支持プレートを支持する支持面を設ける手段とを備える運動器具であって、支持プレートが、往復運動の間にその支持面に沿って移動し、その支持面がさらに、移動通路を画定するように働き、少なくとも部分的に、移動通路用の傾斜を画定する、運動器具が提供される。
【００１０】
有利には、移動通路を画定するように働き、支持プレートがその上で移動する、支持プレート用の支持手段を提供することによって、特にコンパクトかつ単純な運動器具を提供することができ、その運動器具は、以下でさらに詳細に検討するように、使用者が必要に応じて運動動作を変更および強化するのを可能にするように、さらなる適合を簡単に可能にする。
【００１１】
有利には、傾斜は、湾曲した傾斜を含むことができ、かつ／またはさらに、中心部分から少なくとも移動通路の一端部に向かって上方向に延在することができる。
【００１２】
さらなる利点として、傾斜は、移動通路の中心部分から移動通路の各端部それぞれまで上方向に延在する傾斜した領域を含むことができる。
【００１３】
次いで、移動通路によって示される傾斜は、有利には、浅いくぼんだ形態を示すことができる。
【００１４】
支持面を設ける手段は、有利には、トラックを画定する手段を含むことができ、支持プレートが、そのトラックに沿って移動するように構成される。
【００１５】
当然、任意の適切な軸受け、軸受け面、車輪またはキャスタ手段を、必要に応じて支持面上で支持プレートの移動を可能にするために設けることができることを理解されたい。
【００１６】
実際に、支持プレートの係合構成を受けるための、または支持プレート内で受けられる係合構成をもたらすための、１つまたは複数のトラックの一部として支持面を設けることができる。
【００１７】
有利には、各支持プレートに関して別々のトラックを設けることができ、それらのトラックはそれぞれの組のレールを備えることができる。
【００１８】
好ましくは、当然、こうしたレールは、概して平行の構成で延在する。
【００１９】
器具はさらに、前記傾斜を上る方向の各支持プレートの動きに抵抗する手段を含むことができる。
【００２０】
こうした動きに抵抗する前記手段は、弾性、摩擦および／または以下で参照するように重力の影響を利用することができる。
【００２１】
特定の一構成では、各支持プレートは、移動通路に沿った移動の少なくとも一部の間に少なくとも部分的にウェートを持ち上げるようにして、少なくとも一時的に器具のウェート部分と係合するように構成することができる。
【００２２】
具体的には、前記ウェート機構はさらに、前記移動通路の少なくとも一部に沿って移動するように構成することができ、同様に、前記ウェート機構を、移動通路を画定する前記トラックと係合するように設けることができる。
【００２３】
具体的には、各支持プレートの各移動通路の各端部に、別々のウェート機構を設けることができる。したがって、このようにして、４個の別々のウェート機構が設けられることになる。
【００２４】
理解されるように、ウェート機構は、取り外し可能に支持プレートと係合するように構成することができ、それにより、支持プレートが移動通路の一部分を移動する間にのみ移動する。
【００２５】
任意のこうしたウェート機構を、延長アームによって支持プレートに当接するか、またはそれと係合するように構成することができる。
【００２６】
有利には、各ウェート機構を、傾斜を上って移動する間に支持プレートと係合するように構成することができる。
【００２７】
さらに、支持プレートを、傾斜を下る移動の一部の間にウェート機構から離れるように構成することができる。
【００２８】
当然、このようにしてウェート機構の下方向への傾斜の移動を拘束するように器具内に手段を設けることができ、したがって、そのまたは各ウェート機構に提供される往復運動のストロークは、移動通路に沿った各支持プレートの可能性のあるストローク移動よりずっと小さい。
【００２９】
次いで、各ウェート機構を、移動通路の端部領域で往復運動するように構成することができる。
【００３０】
当然、ウェート機構自体を、使用者が運動動作中にトレーニングを行うウェートを簡単に変更できるように構成することができ、そのため、ウェート機構は、１組の簡単に積層できるウェートを含むことができる。
【００３１】
さらに、または代替として、ウェート機構は、そのウェートを増加および／または変更するための液体または粒子状物質を受けるように構成された少なくとも１つの容器を含むことができる。
【００３２】
上記に記載したように、摩擦でもかつ／または弾性でも支持プレートの動きに抵抗するウェート機構以外の手段を設けることができ、こうした適切な数および位置の代替の構成を上記で説明したウェート構成の適位置に設けることができる。
【００３３】
理解されるように、支持プレートは、それぞれの左および右フットプレートを備えることができる。器具は、使用者がフットプレート上に立っているときに把持するように構成されたハンドルバーおよび／またはハンドグリップ手段を含むこともできる。
【００３４】
さらなる特徴として、移動通路に対する支持プレートの傾斜角度を変更するように、移動通路に対して各支持プレートを移動させることができる。
【００３５】
さらに、支持プレートとトラックとの間の分離距離を変更することができ、必要な場合は、動きの通路の上を移動する間にフットプレートとトラックとの間で何らかの形態の楕円の動きを実現することができる。
【００３６】
支持プレートの向きのこうした変化が可能になると、有利には、器具によって利用可能な運動動作の範囲がさらに広くなる。
【００３７】
前記支持面に対するフットプレートの相対移動をさらに制御するために、各フットプレートを必要に応じて弾性および／または枢動取り付け手段に積極的に結合することができる。
【００３８】
本発明のさらなる特徴として、器具はハンドルバーおよび／またはハンドグリップ手段を含むことができ、そのハンドルバーおよび／またはハンドグリップ手段は、移動通路の一端部の領域に設けられ、使用者が支持プレート上に膝をつくときに把持されるように構成される。
【００３９】
したがって、支持プレートを膝プレートとして構成することができる。
【００４０】
理解されるように、上記で言及したハンドルバーおよびハンドグリップを、その向きおよび／または配置を変更するように着脱可能かつ調節可能にすることができる。
【００４１】
本明細書では以後、単に例として添付図面を参照して本発明をさらに説明する。
【図面の簡単な説明】
【００４２】
【図１】本発明の一実施形態による運動器具の概略側面図である。
【図２】図１の器具の概略平面図である。
【図３】本発明の別の実施形態による運動器具の概略側面図である。
【図４】使用時の構成の変化を示す、図３の器具のさらなる図である。
【図５】図４の実施形態の概略平面図である。
【図６】本発明の別の実施形態による運動器具の概略図である。
【図７】本発明のさらに別の実施形態による運動器具の概略図である。
【図８】本発明のさらなる実施形態による運動器具の斜視図である。
【図９】図８の実施形態の側面図である。
【図１０】本発明のさらなる実施形態による後側斜視図である。
【図１１】本発明のさらなる実施形態による前側斜視図である。
【発明を実施するための形態】
【００４３】
まず図１を見ると、本発明の一実施形態による運動器具の概略図が側面図で示されている。
【００４４】
理解されるように、その器具は、使用者の脚の運動を行うように構成されており、そのため脚に関する動作要素しか図示していない。
【００４５】
すなわち、図１に概略的に示す器具は、概して、使用者の手で把持する何らかの形態の支持手段も含むが、明確にするために、これは図面に示していない。
【００４６】
図１に、脚のための運動器具１０を示す。その運動器具１０は、長手方向に浅くくぼんだ支持部材１２を備え、その支持部材１２は、上方向に湾曲した端部領域１６、１８に隣接して配置された中心領域１４を有する。
【００４７】
器具１０は、床に配置したときに使用するように構成され、そのため安定脚部構成２０、２２を含む。
【００４８】
１対の支持プレート２４、２６が、支持面１２に取り付けられており、矢印Ａの方向で浅いくぼんだトラックに沿った往復運動を可能にするように、移動可能に支持面１２と全体的に係合される。
【００４９】
図示の実施形態では、移動通路に沿った各支持プレート２４、２６に関する最大ストロークは、支持部１２の全長である。
【００５０】
したがって、支持部１２が各フットプレート２４、２６に関する移動通路を画定するように働くことを理解されたい。これを図２を参照して例示する。
【００５１】
ここで、図１の器具の平面図が示されており、図１から、事実上、支持部１２が２つのトラック１２Ａ、１２Ｂを画定し、それらのトラック１２Ａ、１２Ｂが各フットプレート２４、２６に関する、隣接する平行な長手方向の移動通路を画定するように働くことを見ることができる。図示の実施形態では共通の支持部が２つのトラック１２Ａ、１２Ｂを画定するが、当然、別々の支持手段がそれぞれのトラック１２Ａ、１２Ｂを画定するように働くことができることを理解されたい。
【００５２】
運動動作中に、使用者が、フットプレート２４、２６のそれぞれ１つに足をそれぞれ置き、次いで、各トラック１２Ａ、１２Ｂそれぞれに沿って、理想的には図２に矢印Ｂで示すようにトラック１２Ａ、１２Ｂの全範囲に沿って、フットプレート２４、２６を前後に付勢してそれらのフットプレートを摺動させる。こうした移動は、一方のフットプレートが前方に移動しもう一方が後方に移動するように、概して反対である。したがって、図２に示すようにフットプレート２４がトラック１２Ｂの左端に向かって移動するときは、フットプレート２６は図２に示すようにトラック１２Ａに向かって移動する。
【００５３】
こうした運動動作の間に、使用者の胴体は、概して支持部１２の中心部分１４の上方で静止したままである。
【００５４】
トラック１２Ａ、１２Ｂを画定する浅いくぼんだ支持部１２が設けられると、特にコンパクトな構成が可能になり、それにより簡単な収納が容易に可能になる。
【００５５】
当然、任意の形態の傾斜面を部分的であっても必要に応じて設けることができる限り、本発明が図１および図２を参照して例示された実施形態の詳細に制限されないことを理解されたい。
【００５６】
次に図３を見ると、本発明の別の実施形態による脚のための運動器具の同様の概略側面図が示されている。
【００５７】
同様の平行な隣接するトラックが、ウェート機構３２、３６が設けられる上方向に湾曲した端部領域３０、３４を有する支持部２８によって設けられる限り、浅いくぼんだ形態の図３の器具は、図１および図２の器具と同様である。
【００５８】
さらに詳細には、ウェート機構３２は、複数のウェート要素３８をその上に積層することができる支持プレートを備え、その支持プレートは、アーム４０を介して緩衝器４２に動作可能に結合される。その緩衝器４２は、以下でさらに詳細に説明するように、フットプレートの一方と係合するように配置される。
【００５９】
支持部２８の端部３４と関連するウェート機構３６は、同様に、アーム４６を介して緩衝器４８に接続された支持手段および関連の積層したウェート要素４４を含む。その緩衝器４８は、やはり以下でさらに詳細に説明するように、フットプレートの一方と係合するように配置される。
【００６０】
ウェート機構３８、４４が設けられると、運動動作中に使用者が消費するトレーニングの量が増加する。１対のフットプレート５０、５２それぞれの移動がそのストロークの端に近づくと、それぞれのフットプレート５０および５２は、ウェート要素３８、４４を外側に、重要なことには上側にも移動させるように、緩衝器４２、４８を介してウェート機構３２、３６と係合する。ウェート要素３８、４４のこうした移動により、運動動作中に使用者が必要とするトレーニングの量が増加し、当然その量は、各機構３２、３６内に適切な数のウェート要素３８、４４を積層することによって変更することができる。
【００６１】
特定の一実施形態では、こうしたウェート機構３２、３６は、各トラックの端部に向かって設けられ、そのため、フットプレートがそれぞれトラックの傾斜を下に戻り始めるときに、ウェート機構３２、３６のそれぞれの緩衝器４２、４８から離れて、ウェートが傾斜に沿ったフットプレートの下方向への移動を助ける働きをしない。
【００６２】
したがって、有利には、各ウェート機構３２、３６の往復運動の範囲を制限するための拘束手段が設けられ、その拘束手段を、支持部２８の各端部領域３０、３４によって与えられる傾斜を下るウェート機構３２、３６の移動を遅くするように構成することもできる。
【００６３】
当然、利用するのが摩擦抵抗でも弾性抵抗でも、各傾斜を上る各フットプレート５０、５２の移動に抵抗しようと努める任意の適切な手段を必要に応じて設けることができる限り、本発明が前述の実施形態の詳細に制限されないことを理解されたい。積層したウェートを採用する図示の例は、多くの可能性のうち１つを含むに過ぎない。
【００６４】
図４を参照して図３の実施形態をさらに示す。図４では、各フットプレート５０、５２が、移動通路に沿って各ストロークの最端まで移動し、それにより、強化した運動動作の一部としてそれぞれのウェート機構を外側かつ上側に移動することを見ることができる。
【００６５】
次に図５を見ると、図４の器具の平面図が示されており、その図では、一方のトラックに、対になったウェート機構３８Ａ、４４Ａ、関連のアーム４０Ａ；４６Ａ、およびそれに関連する緩衝器４２Ａ；４８Ａが設けられることがさらに示され、同様の対のウェート機構３８Ｂ；４４Ｂならびにそれぞれのアーム４０Ｂ、４８Ｂおよび緩衝器４２Ｂ；４８Ｂが同様に、２つのトラックのうちもう一方に関して示されている。
【００６６】
したがって、この実施形態では、フットプレート５０、５２の動きに抵抗する４つの別々の手段が設けられ、移動通路の各端部に１つの手段があり、その手段は、前に移動しても後ろに移動しても、傾斜を上る方向への各フットプレート５０、５２の移動が各ウェート機構それぞれによって特定される追加の抵抗に対して作用するように働く。
【００６７】
次に図６を見ると、支持機構５４が管状のトラック構成として形成された、使用時の本発明の実施形態がさらに概略的に示されており、対になったウェート機構５６、５８がそれぞれ、端部に緩衝器を有する同様の管状の支持アームによってフットプレートと係合するように働く。
【００６８】
最後に図７を見ると、各フットプレートが、支持トラックに対する傾斜角度を変更するように各支持トラックに関して枢動するように配置された本発明の実施形態が示されている。
【００６９】
このような枢動は、必要な場合は、移動通路上を進行する間にフットプレートの楕円の動きを可能にするように、結合した状態で弾性的に実現することができる。任意の適切な支持結合手段を設けることができ、各支持トラックに関するフットプレートの傾斜を変えることに加えて、同様に、各トラックからのフットプレートの分離距離を変更することができる。
【００７０】
それにより、支持トラック６０および関連するフットプレート６２、６４によって、図７に概略的に示すように、さらなる範囲の運動を行うことが可能になる。
【００７１】
次に図８を見ると、本発明のさらに別の実施形態による運動器具の斜視図が示されている。
【００７２】
図８の実施形態による運動器具６６は、実質的に管状のフレーム部材を備え、そのフレーム部材は、実質的に平行の管状トラック６８、７０であり、それらのトラック６８、７０はフレーム床支持部７２と７４との間で延在し、それらのフレーム床支持部７２と７４はトラック６８、７０のそれぞれの端部領域に設けられる。
【００７３】
直立したハンドルバー構成７６が、床支持部７２によって画定される器具の一端で上方向に延在し、器具６６の使用者が器具上に立っているときに掴むハンドグリップを呈するように配置される。
【００７４】
以下に続く考察から理解されるように、ハンドルバー延長部７６の配置もしくは向きおよび／または高さを必要に応じて変更することができ、実際に、必要な場合はハンドルバー構成７６を器具６６から完全に取り除くことができる。
【００７５】
器具のうち直立したハンドルバー構成７６から離れた方の端部には、１対の横方向に延在するハンドグリップ７８、８０があり、それらのハンドグリップ７８、８０の配置および／または向きを同様に必要に応じて変更することができ、やはり、実際に、器具６６のフレームに取り外し可能に取り付けることができる。
【００７６】
同様に本発明のこの実施形態の以下に続く考察から理解すべきであるように、ハンドグリップ７８、８０は、使用者が器具上で膝をついているときに把持するように構成され、したがって、本発明のこの特定の実施形態は、脚のための運動器具および／または腹筋もしくはコア・マッスルの運動を行う器具を呈する手段を備えることができる限り、実際に適合可能である。
【００７７】
当然、図８の実施形態に示すハンドルバーおよびハンドグリップの様々な形態および構成を、当然、前の図面に関して検討したように、本発明の前の実施形態に組み込むことができることを理解されたい。
【００７８】
それぞれのトラック６８、７０の長手方向の範囲に沿って単純に動くように配置されたそれぞれの対の支持プレート８４、８２が、各トラック６８、７０に固定的であるが移動可能に支持される。
【００７９】
様々なハンドルバーおよびハンドグリップ機構７６、７８、８０を設けることから理解されるように、支持プレート８２、８４は、必要に応じてフットプレートおよび／または膝プレート／支持部として機能することができる。
【００８０】
それぞれの対のウェート８６、８８が、各支持プレート８２、８４に関連し、それらのウェート８６、８８の往復運動を、必要に応じて、同様にそれぞれのトラック６８、７０によって案内することができ、それらのウェート８６、８８を、支持プレート８２、８４と係合するように構成することができ、それにより、支持プレート８２、８４がトラックに沿って通る間に移動する。
【００８１】
ウェート８６、８８の構成、およびフットプレート８２とのそれらの関係は、さらに図８の器具の側面図である図９を参照することによって示される。
【００８２】
ここで、各ウェート８６、８８が、支持プレート８２の方向に延在するそれぞれの延長アーム８７、８９によって支持されることが理解できよう。
【００８３】
各ウェート８６、８８は、設定された質量を含むことができるか、または好ましくは、選択的な量の流体または粒子状物質を受けるように構成された容器を備えることができ、それらの流体または粒子状物質は容器のウェートを増大するように働く。実際に、こうした複数のウェートを設けることができ、それぞれの係合構成によって、さらに、支持プレート８２、８４を動かすときに器具の使用者が移動させるウェートの量を増やすように、それらのウェートを図９に示すウェート８６、８８上に積層するように構成することができる。
【００８４】
前に説明した本発明の実施形態と同様に、ウェート８６、８８が支持プレート８２と係合してそれにより移動する形を考察するときに様々な構成をもたらすことができる。
【００８５】
すなわち、特に図９を参照すると、支持プレート８２は、支持プレート８２を図９内で左に移動させるときに、同様にウェート８６をその図の左に移動させるように、ウェート８６および／またはその延長アーム８７と当接または係合するように配置することができるが、同時に、ウェート８８が図９に示す位置に残るように、支持プレート８２とウェート８８および延長アーム８９との間の係合を解放することができる。次いで、支持プレート８２が浅いくぼんだトラックを下って図面の右に移動して図９に示す位置に戻るときに、ウェート８６は同様に、図９に示す中心位置に達するときまで下方向に戻るように移動し、それにより、ウェート８６およびその延長アーム８７と支持プレート８２との係合が解放され、次いで支持プレート８２は、延長アーム８９を介してウェート８８と係合して、支持プレート８２が図９の右に浅いくぼんだトラック６８を上るようにさらに移動するときに、ウェートによってもたらされる抵抗に対して作用する。
【００８６】
当然、代替形態として、トラック６８に沿った全範囲の前後移動の間に、支持プレート８２を、ウェート８６、８８の両方と係合するように保持することができる。さらに、ウェート８６、８８および／またはそのそれぞれの延長アーム８７、８９の一方を、そこから取り外すように、器具に取り外し可能に係合することができ、必要な運動動作の間に、使用者は、図９に示すウェート８６、８８の一方によってもたらされる抵抗に対してトレーニングしなければならないだけである。
【００８７】
当然、図８および図９を参照して示した実施形態がコンパクトな形態の器具を提供することが理解されよう。しかし、必要な場合は、ウェート８６、８８と支持プレート８２との間の距離を増大するように、ある程度長い延長アーム８７、８９を設けることができ、これは、各ウェート８６、８８がそれを通って移動する高さを増大するように働くことができ、それにより運動動作中に使用者が行うトレーニングの量が増大する。上記で説明したように、脚の運動動作中に、使用者が支持プレート８２上に立ち、したがってその支持プレート８２がフットプレートとして機能し、安定性を向上させるために、使用者は、安定的かつ固定的に脚の運動動作を行うように上方向に延在するハンドルバー構成７６の上側領域を把持することができる。代替形態として、使用者が腹筋およびコア・マッスルの運動をしたい場合は、概してハンドグリップ７８、８０に面した方向で支持プレート８２、８４上に膝をつくことができ、ハンドグリップ７８、８０は、「膝プレート」８２、８４を前後に、すなわち浅いくぼんだトラック６８、７０に沿って図９に示すように左右方向に移動させる際に、使用者が腹筋／コア・マッスルの運動を行うときに当然使用者の手で把持される。さらに、実際に運動器具に取り外し可能に取り付けられるように構成された直立したハンドルバー構成７６ができるように、運動ウェート機構８６、８８を必要に応じて含むかまたは取り外すことができる。
【００８８】
したがって、図８および図９に示すような単純でコンパクトな器具によって様々な運動を行うことができる。また、必要に応じて液体または粒子状材料を「充填」できるウェート機構８６、８８を採用することによって、様々な運動動作のために様々なウェートを用意することができる。
【００８９】
しかし、図８および図９に示すようなウェート機構を、同様に、先行する実施形態に関して検討し、重力抵抗ではなく摩擦抵抗を採用するような、他の適切な形態の抵抗誘発手段によって補うかまたはそれと交換することができることを理解されたい。
【００９０】
次に図１０および図１１を見ると、本発明のさらに別の実施形態による運動器具９０の後側斜視図および前側斜視図が示されている。理解されるように、ベース・ユニットを形成するクレードル・フレーム９２が共通であり、そのベース・ユニット上に足掛けおよび関連のウェートが移動可能に取り付けられる点で、全体の構成は図８に示す実施形態とある程度同様である。クレードル・フレーム９２の一端部には直立した支持部９４が設けられ、その支持部９４の上端には、様々なハンド・レスト／ハンドルバー構成９６〜１０２が設けられる。２組のこうした構成が図示されており、第１の構成は単純な静止した中心ハンドルバー構成９６を備える。第２の構成は、図では実質的に上方向に延在するように示される、細長い１対の左／右ハンドグリップ９８、１００を備える。本発明のこの実施形態の１つの特別な特徴は、ハンドグリップ９８、１００が直立した支持部９４に全体的に接続される様式である。枢動接続部は円筒形コネクタ１０２を備え、その円筒形コネクタ１０２により、各ハンドグリップ９８、１００が互いに独立的に往復枢動動作を行うことが可能になる。必要な場合は、円筒形コネクタ１０２内に偏倚手段を含むことができ、そのためこうした枢動は、こうした偏倚によって影響を受けるか、またはそれに対抗して行うことができる。さらに、円筒形コネクタ１０２により、ハンドグリップ９８、１００の「静止」位置を枢動調整することができる。図１０および図１１では、ハンドグリップ９８および１００の「静止」位置は実質的に垂直であり、そのため器具をハンドルバー構成に向けて８０使用するときに、フット・レストを自動的に摺動するように、円筒形コネクタ１０２周りの「前後」の往復運動が可能になる。
【００９１】
必要に応じて、また必要なときに、円筒形コネクタ１０２による単一のユニットと同様にハンドグリップ９８、１００を回転させることができ、そのため、「静止」時に実質的に水平な方向に延在し、異なる運動動作を行うときに使用者による「上下」移動が可能になり、そのため、例えば、使用者が上記で述べたのとは反対の方向に向くこともできる。
【００９２】
当然、本発明が前述の実施形態の詳細に制限されないことを理解されたい。
【００９３】
記載のように、各傾斜それぞれを上る支持プレートの上方向の動きに抵抗する任意の適切な手段を設けることができ、移動通路の範囲、および構成を画定する任意の適切な形態のトラック／支持機構を設けることができる。当然、様々な実施形態に関して示した様々な特徴を、必要に応じて任意の適切な形および組み合わせで組み合わせることができる。
【符号の説明】
【００９４】
１０  運動器具
１２  支持部材、支持面
１２Ａ  トラック
１２Ｂ  トラック
１４  中心領域
１６  端部領域
１８  端部領域
２０  安定脚部構成
２２  安定脚部構成
２４  支持プレート、フットプレート
２６  支持プレート、フットプレート
３０  端部領域
３２  ウェート機構
３４  端部領域
３６  ウェート機構
３８  ウェート要素
３８Ｂ  ウェート機構
３８Ａ  ウェート機構
４０  アーム
４０Ａ  アーム
４０Ｂ  アーム
４２  緩衝器
４２Ａ  緩衝器
４２Ｂ  緩衝器
４４  ウェート要素
４４Ａ  ウェート機構
４４Ｂ  ウェート機構
４６  アーム
４６Ａ  アーム
４６Ｂ  アーム
４８  緩衝器
４８Ａ  緩衝器
４８Ｂ  緩衝器
５０  フットプレート
５２  フットプレート
５４  支持機構
５６  ウェート機構
５８  ウェート機構
６０  支持トラック
６２  フットプレート
６４  フットプレート
６６  運動器具
６８  管状トラック
７０  管状トラック
７２  フレーム床支持部
７４  フレーム床支持部
７６  ハンドルバー構成、ハンドグリップ機構、ハンドルバー延長部
７８  ハンドグリップ、ハンドグリップ機構
８０  ハンドグリップ、ハンドグリップ機構
８２  支持プレート、フットプレート
８４  支持プレート
８６  ウェート
８７  延長アーム
８８  ウェート
８９  延長アーム
９０  運動器具
９２  クレードル・フレーム
９４  直立した支持部
９６〜１０２  ハンド・レスト／ハンドルバー構成
９８  ハンドグリップ
１００  ハンドグリップ
１０２  円筒形コネクタ
Ａ  矢印
Ｂ  矢印
【図１】
2011025026.tif 000003
【図２】
2011025026.tif 000004
【図３】
2011025026.tif 000005
【図４】
2011025026.tif 000006
【図５】
2011025026.tif 000007
【図６】
2011025026.tif 000008
【図７】
2011025026.tif 000009
【図８】
2011025026.tif 000010
【図９】
2011025026.tif 000011
【図１０】
2011025026.tif 000012
【図１１】
2011025026.tif 000013
【外国語明細書】
EXERCISE APPARATUS
The present invention relates to exercise
apparatus. 
Various forms of
exercise apparatus are commonly known for use in exercising various parts of
the human body, for example, for enhanced level of fitness and body toning.
Known forms of
exercise apparatus for exercising the human legs and comprising a wide variety
of generally complex apparatus is commonly available in public and private
gymnasiums.
However, it has
also become more popular recently to exercise within a domestic environment for
possibly more efficient, time-saving and cost effective exercise routines.
However, much of
the known apparatus is not appropriate for the domestic environment and can
prove to be unnecessarily complex and bulky such that the known apparatus is
not readily stored in a space-saving and tidy manner when not in use.
Further, various
forms of leg exercise apparatus include frame structures which are not readily
disassembled and can prove unsightly when stored and indeed when used, within a
domestic environment.
The present
invention seeks to provide for leg exercise apparatus having advantages over
known such apparatus.
In particular, the
present invention seeks to provide for leg apparatus which is relatively simple
in structure and operation, whilst nevertheless enhancing the nature of the
exercise routines available to different users and which, as a further
advantage, can prove relatively compact and easily stored when not in use.
According to a
first aspect of the present invention, there is provided exercise apparatus
comprising a pair of support-plates arranged for reciprocal motion along
adjacent and parallel paths of travel, means for presenting a support surface
for supporting the said support-plates and along-which the support-plates move
during the reciprocal motion; the support surface further serving to define the
paths of travel, and wherein the support surface further defines, at least in
part, a slope for the paths of travel.
Advantageously,
through the provision of the support means for the support-plates and which
serve to define the paths of travel and over which the support-plates move, a
particularly compact and simple exercise apparatus can be provided which, as
will be discussed in further detail below, readily allows for further adaption
so as to allow for varied and enhanced exercise routines as required by a user.
Advantageously,
the slope can comprise a curved slope and /or further, a slope can extend from
a central portion at least upwardly towards one end of the path of travel.
As a further
advantage, the slope can comprise sloped regions extending upwardly from the
central portion of the path of travel to each of the respective ends of the
path of travel.
The slope
exhibited by the paths of travel can then advantageously exhibit a shallow
concave form.
The means
presenting a support surface advantageously can include means for defining a
track along which the support-plates are arranged to move.
Of course, it
should be appreciated that any appropriate bearing, bearing surface, wheel or
castor means can be provided as required to allow for travel of the
support-plates over the support surface.
Indeed, this
support surface can be provided as part of one or more tracks for receiving an
engagement formation of the support-plates or for presenting an engagement
formation to be received within the support-plates.
Advantageously,
separate tracks can be provided for each of the support-plates and which can
comprise respective sets of rails.
Preferably, of
course, such rails will extend in a generally parallel configuration.
The apparatus can
further include means for resisting motion of each support-plate in a direction
up the said slope.
Said means for
resisting such motion can rely on resilience, friction and/or, as referred to
below, the effect of gravity.
In one particular
arrangement, each support-plate can be arranged to, at least temporarily,
engage with a weight-portion of the apparatus in a manner so as to at least
partially raise the weight during at least part of its movement along the paths
of travel.
In particular, the
said weight-arrangement can be arranged to also move along at least part of the
said path of travel and can likewise be provided for engagement with the said
track defining the paths of travel.
In particular,
separate weight-arrangements can be provided at each end of each of the paths
of travel of each of the support-plates.   In this manner, four
separate weight-arrangements would therefore be provided.
As will be
appreciated, the weight-arrangements can be arranged for releasable
engagement with
the support-plates so as to be moved thereby only during movement of the
support-plates over part of the paths of travel.
Any such
weight-arrangements can be arranged to abut the support-plates or engage
therewith by means of extension arms.
Advantageously,
each weight-arrangement can be arranged to be engaged with the support-plate
during its movement up the slope.   
Yet further, the
support-plate can be arranged to be disengaged from the weight-arrangement for
part of the movement downward slope.
Of course, means
can be provided within the apparatus so as to arrest the downward-slope
movement of the weight-arrangement in this manner, the stroke of reciprocal
movement provided for the or each weight-arrangement therefore far less than
the potential stroke movement of each support-plate along the paths of travel.
Each
weight-arrangement can then be arranged for reciprocal movement at an end
region of the paths of travel.
Of course, the
weight-arrangement can itself be arranged so as to readily vary the weight
against which the user works during the exercise routine and so the
weight-arrangement can include a set of readily stackable weights.
In addition, or as
an alternative, the weight-arrangement can include at least one container
arranged for receiving liquid or particulate matter for increasing and/or vary
the weight thereof.
As noted above,
means other than a weight arrangement can be provided for resisting the motion
of the support-plates and, whether frictional and/or resilient, an appropriate
number and location of such alternative arrangements can be provided in place
of the weight arrangements described above.
As will be
appreciated, the support-plates can comprise respective left and right
footplates.  The apparatus can also include handle bar and/or hand grip
means arranged to be gripped by a user when standing on the footplates.
As a further
feature, each of the support-plates can be moved relative to the paths of
travel so as to vary the angle of inclination of the support-plates thereto.
Yet further, the
distance of separation between the support-plates and the track can be varied
and, if required, some form of elliptical motion can be achieved between the
footplate and the track during travel over the path of motion.
Allowing for such
change in orientation of the support-plates advantageously serves to further
enhance the range of exercise routines that are available by way of the
apparatus.
In order to
enhance the controlled relative movement of the footplate with respect to the
said support surface, each footplate can be actively coupled to resilient
and/or pivotal mounting means as required.
As a further
feature of the invention, the apparatus can include handle bar and/or hand grip
means provided in the region of one end of the paths of travel and arranged to
be gripped by a user when kneeling on the support-plates.
The support plates
can therefore be configured as knee plates.
As should be
appreciated, the handlebar and hand grips mentioned above can be removable and
adjustable so as to vary the orientation and/or position thereof. 
The invention is
described further hereinafter, by way of example only, with reference to the
accompanying drawings in which:
Fig. 1 is a
schematic side view of exercise apparatus according to one embodiment the
present invention;
Fig. 2 is a
schematic plan view of the apparatus of Fig. 1;
Fig. 3 is a
schematic side view of exercise apparatus according to another embodiment of
the present invention; 
Fig. 4 is a
further view of the apparatus of Fig. 3 illustrating its change in
configuration when in use; 
Fig. 5 is a
schematic plan view of the embodiment of Fig. 4;
Fig. 6 is a
schematic representation of exercise apparatus according to another embodiment
of the present invention; 
Fig. 7 is a
schematic representation of exercise apparatus according to still another
embodiment of the present invention; 
Fig. 8 is a
perspective view of exercise apparatus according to yet a further embodiment of
the present invention; 
Fig. 9 is a side
view of the embodiment of Fig. 8; and
Figs 10 and 11 are
rear and front side perspective views of a yet further embodiment of the
present invention.
Turning first to
Fig. 1 there is illustrated, in side view, schematic representation of exercise
apparatus according to one embodiment of the present invention.
As will be
appreciated, the apparatus is arranged for exercising a user’s
legs and so it is only the operative elements relevant thereto that are illustrated.
That is, the
apparatus schematically represented in Fig. 1 will also generally include some
form of support means to be gripped by a users hands but, for clarity, this is
not illustrated the drawings.
Fig. 1 illustrates
leg exercise apparatus 10 comprising longitudinally shallow concave support
member 12 having a central region 14 adjacent upwardly curved end regions 16,
18.
The apparatus 10
is arranged to be used when located on a floor and so includes stabilizing leg
arrangements 20, 22.
A pair of
support-plates 24, 26 is mounted to the support surface 12, and generally
engaged therewith in a moveable manner so as to allow for reciprocal motion
along the shallow convex track in the direction of arrows A.
In the illustrated
embodiment the maximum stroke for each of the support-plates 24, 26 along the
path of travel comprises the full length of the support 12.
It should
therefore be appreciated that the support 12 serves to define a path of travel
for each of the footplates 24, 26 and this is illustrated with reference to
Fig. 2.  
Here there is
provided a plan view of the apparatus of Fig. 1 from which it can be seen that
the support 12 effectively defines two tracks 12A, 12B which in turn serve to
define adjacent and parallel longitudinal paths of travel for each of the
footplates 24, 26.  While in the illustrated embodiment the common support
defines the two tracks 12A, 12B, it should of course be appreciated that
separate support means can serve to define the respective tracks 12A, 12B.
During an exercise
routine, a user places each of their feet on a respective one of the footplates
24, 26 and then urges the footplates 24, 26 backwards and forwards so as to
slide the footplates along each of the respective tracks 12A, 12B and ideally
along the full extent of the tracks 12A, 12B as indicated by arrows B in Fig.
2.  Such movement is generally in an opposite manner so that one footplate
travels forwards, the other travels backwards.  Thus, as the footplate 24
moves towards the left end of the track 12B as illustrated in Fig. 2, the
footplate 26 moves towards the track 12A as illustrated in Fig. 2.
During such an
exercise routine, the user’s torso generally remains stationary above the central portion 14 of
the support 12.
The provision of
the shallow concave support 12 defining the tracks 12A, 12B serves to allow for
a particularly compact construction which readily allows for ease of storage.
It should of
course be appreciated that the invention is not restricted of details of the
embodiment illustrated with reference to Figs. 1 and 2 insofar as any form of,
even partially, sloped surface can be provided as required.
Turning now to
Fig. 3, there is provided a similar schematic side elevational view of leg
exercise apparatus according to another embodiment of the present invention.
The shallow
concave form of the apparatus of Fig. 3 is similar to that of Figs. 1 and 2
insofar as similar parallel adjacent tracks are provided by way of a support
28, having upwardly curved end regions 30, 34 at which there is provided a
weight-arrangement 
32, 36.
In further detail
the weight-arrangement 32 comprises a support plate upon which can be stacked a
plurality of weight elements 38 operatively coupled by way of an arm 40 to a
buffer 42 which is arranged to engage with one of the footplates as will be
described further below.
The
weight-arrangement 36 associated with the end 34 of the support 28, likewise
includes a support means and related stack of weight elements 44 connected by
way of an arm 46 to a buffer 48 arranged for engagement with one of the
footplates as will again be described further below.
The provision of
the weight-arrangements 38, 44 serves to increase the amount of work expended
by a user during an exercise routine.  As the movement of each of a pair
of footplates 50, 52 approaches the end of its stroke, the respective footplate
50 and 52 engage, by way of the buffers 42, 48, with the weight-arrangements
32, 36 so as to move the weight elements 38, 44 in an outward but importantly
also upward, manner.   Such movement of the weight elements 38, 44
serves to increase the amount of work required by the user during an exercise
routine, which amount can of course be varied by stacking the appropriate
number of weight elements 38, 44 within each arrangement 32, 36.
In one particular
embodiment, such weight-arrangements 32, 36 are provided towards the end of
each of the tracks such that, once each footplate has started to return down
the slope of the track, it disengages from the respective buffer 42, 48 of the
weight-arrangements 32, 36 such that the weight does not then serve to assist
the downward movement of the footplate along the slope.
Arresting means
are therefore advantageously provided for limiting the reciprocal scope of
movement of each of the weight-arrangements 32, 36 and which arresting means
can also be arranged so as to slow the movement of the weight-arrangement 32,
36 down the slope presented by each of the end regions 30, 34 of the support
28.
Of course, it
should be appreciated that the invention is not restricted to the details of
the foregoing embodiment insofar as any appropriate means for seeking to resist
the movement of each of the footplates 50, 52 up each of the slopes can be
provided as required and whether relying on frictional resistance or resilient
resistance.   The illustrated examples employing the stacked weights
comprise only one of many possibilities.
The embodiment of
Fig. 3 is illustrated further with reference to Fig. 4 where it can be seen
that each of the footplates 50, 52 has moved along the path of travel to the
extreme end of each of its strokes and thereby moved its respective
weight-arrangement outwardly and upward as part of an enhanced exercise
routine.
Turning now to
Fig. 5, there is provided a plan view of the apparatus of Fig. 4 to further
illustrate the provision of the pair of weight-arrangements 38A, 44A, 
associated arms 40A; 46A and buffers 42A; 48A associated therewith one
track,  whereas a similar pair of weight-arrangements 38B; 44B and
respective arms 40B, 48B and buffers 42B; 48B are likewise illustrated for the
other of the two tracks.
Thus, in this
embodiment, four separate means for resisting motion of the footplates 50, 52
are provided, one at each end of the paths of travel such that, whether moving
forward or backwards, the movement of each footplate 50, 52 in an up-slope
direction serves to work against the additional resistance identified by each
respective weight-arrangement.
Turning now Fig.
6, there is provided a further schematic illustration of an embodiment of the
present invention in use and wherein a support arrangement 54 is formed as a
tubular track configuration and in which each of the pairs of
weight-arrangements 56, 58 serve to engage with the footplates by means of
similar tubular support arms having buffers at the ends thereof.
Turning finally to
Fig. 7 there is illustrated an embodiment of the present invention in which
each of the footplates is arranged to pivot relative to each of the support
tracks so as to vary the angle of inclination thereto.
Such pivoting can
be achieved in a coupled and resilient manner so as, if required, to allow for
possible elliptical motion of the footplate during progress on its path of
travel.  Any appropriate support coupling means can be provided and, in
addition to allowing for the change of inclination of the footplate with regard
to each of the support tracks, the distance of separation of the footplate from
each of the tracks can likewise be varied.
The support tracks
60 and related footplates 62, 64 can thereby allow for a further range of
exercises to be undertaken as illustrated schematically in Fig. 7.
Turning now to
Fig. 8 there is provided a perspective view of exercise apparatus according to
yet another embodiment of the present invention.
The exercise
apparatus 66 according to the Fig. 8 embodiment comprises a substantially
tubular frame member presenting substantially parallel tubular tracks 68, 70
extending between frame floor supports 72, 74 provided at the respective end
regions of the tracks 68, 70.
Extending upwardly
at one end of the apparatus defined by the floor support 72 is an upstanding
handlebar arrangement 76 which is arranged to present handgrips to be engaged
by a user of the apparatus 66 when standing on the apparatus.
As will be
appreciated from the subsequent discussion, the position or orientation and/or
height of the handlebar extension 76 can be varied as required and indeed, the
handlebar arrangement 76 can be completely removed from the apparatus 66 if
required.
At the end of the
apparatus remote from the upstanding handlebar arrangement 76 are a pair of
laterally extending handgrips 78, 80 whose position and/or orientation can
likewise be varied as required and again, can indeed be releasably mounted on
the frame of the apparatus 66.
As should likewise
be appreciated from the subsequent discussion of this embodiment of the present
invention, the handgrips 78, 80 are arranged to be gripped when the user is
kneeling on the apparatus and this particular embodiment of the present
invention is therefore really adaptable insofar as it can comprise means for
presenting leg exercise apparatus and/or abdomen or core-muscle exercising
apparatus.
Of course, it
should be appreciated that the various forms and configuration of handlebars
and handgrips illustrated within the embodiment of Fig. 8, can of course be
incorporated into the earlier embodiments of the present invention as discussed
in relation to the previous drawings.
Supported in a
secure but moveable manner on each of the tracks 68, 70 is a respective pair of
support plates 84, 82 arranged for simple motion along the longitudinal extent
of the respective tracks 68, 70.
As will be
appreciated from the provision of the various handlebar and handgrip
arrangements 76, 78, 80, the support plates 82, 84 can function as footplates
and/or knee plates/supports as required.
Associated with
each of the support plates 82, 84 is a respective pair of weights 86, 88 and
whose reciprocal motion can, as required, likewise be guided by the respective
tracks 68, 70 and which are arranged to engage with the support-plates 82, 84
so as to be moved thereby during the passage of the support plates 82, 84 along
the tracks.
The configuration
of the weights 86, 88 and their relationship with the footplates 82 as
illustrated further by reference to Fig. 9 which comprises a side view of the
apparatus of Fig. 8.
Here it can be
appreciated that each of the weights 86, 88 is supported by means of a
respective extension arm 87, 89 which extends in the direction of the
support-plate 82.
Each of the
weights 86, 88 can comprise a set mass or, preferably, can comprise a
receptical arranged to receive a selective quantity of fluid or particulate
matter which serves to enhance the weight thereof.   Indeed, a
plurality of such weights can be provided and, by means of respective
engagement formations can be arranged to be stacked on the weights 86, 88
illustrated in Fig. 9 so as to yet further increase the amount of weight
removed by the user of the apparatus when moving the support-plates 82, 84.
As with the
earlier described embodiments of the present invention, a variety of
configurations can be provided when considering the manner in which the weights
86, 88 engage with the support plate 82 to be moved thereby.
That is, and
referring in particular to Fig. 9, when the support-plate 82 is caused to move
to the left within Fig. 9 the support-plate 82 can be arranged to abut or
engage with the weight 86 and/or its extension arm 87 so as to likewise move
the weight 86 to the left as in the figure but, at the same time, an engagement
between the support plate 82 and the weight 88 and its extension arm 89 can be
released so that the weight 88 remains in the position indicated in Fig. 9.  
Then, as the support-plate 82 moves back down the shallow concave track to the
right in the drawing back to its position as shown in Fig. 9, the weight 86
likewise moves back downwardly until such time as the central position
indicated in Fig. 9 is reached whereby the engagement between the weight 86 and
its extension arm 87 with the support-plate 82 is released and the
support-plate 82 then engages, by way of the extension arm 89, with the weight
88 so as to work against the resistance offered by weight as the support-plate
82 is moved further to the right in Fig. 9 and up the shallow concave track 68.
Of course, as an
alternative, the support-plate 82 can be retained in engagement with both of
the weights 86, 88 during its full extent of travel back and forth along the
track 68.    Yet further, either one of the weights 86, 88
and/or its respective extension arm 87, 89 can be releasably engaged to the
apparatus so as to be removed therefrom such that, during the required exercise
routine, the user only has to work against the resistance offered one of the
weights 86, 88 illustrated in Fig. 9.
It will of course
be appreciated that the embodiment illustrated with reference to Figs. 8 and 9
provides a compact form of the apparatus.  However, if required, somewhat
longer extension arms 87, 89 can be provided so as to increase the separation
between the weights 86, 88 and the support-plate 82 and this can serve to
increase the height through which each of the weights 86, 88 moves so as to
thereby increase the amount of work undertaken by a user during an exercise
routine.   As mentioned above, and during a leg-exercise routine, the
user stands on the support-plates 82 which therefore function as footplates
and, for added stability, the user can grip the upper regions of the upwardly
extending handlebar arrangement 76 so as to perform a leg-exercise routine in a
stable and secure manner.   If, as an alternative, the user wishes to
exercise their abdominal and core muscles, they can kneel on the support-
plates 82, 84 in a direction generally facing the handgrips 78, 80 which are of
course gripped by the user’s hands as the user exercises their abdominal/core muscles in moving
the “knee-plates” 82, 84 back and forth, i.e. left-right directions as illustrated in
Fig. 9 along the shallow concave tracks 68, 70.  Again, the exercise
weight arrangements 86, 88 can be included or removed as required as indeed can
the upstanding handlebar arrangement 76 which is arranged to be releasably
mounted to the exercise apparatus.
A wide variety of
exercises can therefore be performed by way of the simple and compact apparatus
illustrated in Figs. 8 and 9.   And, through adoption of weighting
arrangements 86, 88 that can be “charged” with liquid or
particulate material as required, a wide variety of weights can be provided for
various exercise routines.
However, it should
be appreciated that the weighting arrangements as illustrated in Figs. 8 and 9
can likewise be supplemented, or replaced by another appropriate form of
resistance inducing means such as is discussed in relation to the preceding
embodiments and employing frictional, rather than gravitational resistance.
Turning now to
Figs 10 and 11, there are provided rear and front side-perspective views of
exercise apparatus 90 according to yet another embodiment of the present
invention. As will be appreciated, the overall configuration is somewhat
similar to the embodiment illustrated in Fig 8 in that it shares a cradle-frame
92 forming a base unit upon which foot-rests and associated weights are movably
mounted. At one end of the cradle-frame 92 is provided and upstanding support
94 at the upper end of which is provided a variety of hand-rest/handlebar
arrangements 96-102. Two sets of such arrangements are illustrated with the
first comprising a simple static central handlebar arrangement 96. The second
arrangement comprises a pair of left/right elongate handgrips 98, 100
illustrated in the figures as extending in a substantially upwardly direction.
A particular feature of this embodiment of the invention is the manner by which
the handgrips 98, 100 are totally connected to the upstanding support 94. The
pivotal connection comprises a barrel connector 102 which allows for reciprocal
pivotal motion of each of the handgrips 98, 100 independently of each other. If
required, biasing means can be included within the barrel connector 102 such
that this pivotal motion can be influenced by, or performed against, such
biasing. Yet further, the barrel connector 102 allows for pivotal adjustment of
the "at rest" position of the handgrips 98, 100. That in Figs 10 and
11, the "at rest" position of the handgrips 98 and 100 is
substantially vertical so as to allow for a "back-and- fourth"
reciprocal movement about the barrel connector 102 as the use of slides the
foot rest in an automated manner when using the apparatus facing 80 handlebar
arrangements. 
As and when
required, the handgrips 98, 100 can be rotated as if a single unit by means of
the barrel connector 102 and so as to extend in a substantially horizontal
direction when "at rest" and so as to allow for
"up-and-down" movement by the user when performing a different
exercise routine which, for example, could comprise the user facing in an
opposite direction to that noted above.
Of course, it
should be appreciated that the invention is not restricted to the details of
the foregoing embodiments.
As noted, any
appropriate means for resisting the upward motion of the support-plates up each
respective slope can be provided and any appropriate form of track/support
arrangement can be provided for defining the extent, and configuration, of the
paths of travel.  Of course, the various features illustrated in relation
to the different embodiments can be combined and any appropriate manner and combination
as required.
Claims
1.    Exercise
apparatus comprising a pair of support-plates arranged for reciprocal motion
along adjacent and parallel paths of travel, means for presenting a support
surface for supporting the said support-plates and along-which the support-plates
move during the reciprocal motion; the support surface further serving to
define the paths of travel, and wherein the support surface further defines, at
least in part, a slope for the paths of travel.
2.    Apparatus
as claimed in Claim 1, wherein the said slope comprises a curved slope.
3.    Apparatus
as claimed in Claim 1 or 2, wherein the slope extends from a central portion at
least upwardly towards one end of the path of travel.
4.    Apparatus
as claimed in Claim 3, wherein the slope comprises sloped regions extending
upwardly from the central portion of the path of travel to each of the
respective ends of the path of travel.
5.    Apparatus
as claimed in any one or more of the preceding claims, wherein the means
presenting a support surface includes means for defining a track along which
the support-plates are arranged to move.
6.    Apparatus
as claimed in any one or more of the preceding claims, wherein the said support
surface is provided as part of one or more tracks for receiving an engagement
formation of the support-plates or for presenting an engagement formation to be
received within the support-plates.
7.    Apparatus
as claimed in Claim 6, wherein separate tracks are provided for each of the
support-plates and which comprise respective sets of rails.
8.    Apparatus
as claimed in any one or more of the preceding claims and including means for
resisting motion of each support-plate in a direction up the said slope.
9.    Apparatus
as claimed in Claim 8, wherein the said means for resisting such motion relies
on one or more of resilience, friction and/or, the effect of gravity.
10.   Apparatus
as claimed in Claim 8 or 9, wherein each support-plate is arranged to, at least
temporarily, engage with a weight-portion of the apparatus in a manner to at
least partially raise the weight during at least part of its movement along the
paths of travel.
11.   Apparatus
as claimed in Claim 10, wherein the said weight-portion is arranged also to
move along at least part of the said path of travel and can likewise be provided
for engagement with the said track defining the path of travel.
12.   Apparatus
of claims in Claim 10 or 11, wherein the weight-portion is arranged for
releasable engagement with the support-plates so as to be moved thereby only
during movement of the support-plates over part of the paths of travel.
13.   Apparatus
as claimed in Claim 10, 11 or 12, wherein the said weight-portion is arranged
to abut the support-plates or engage therewith by means of connection/extension
arms.
14.   Apparatus
as claimed in any one or more of Claims 10-13, wherein each weight-portion is
arranged to be engaged with the support-plate during its movement up the slope.
15.   Apparatus
as claimed in any one or more of Claims 10-14, wherein the support-plate is
arranged to be disengaged from the weight-arrangement for part of the movement
downward slope.
16.   Apparatus
as claimed in any one or more of Claims 10-15, wherein the weight-portion
comprises a weight having an engagement formation for facilitating the stacking
of a plurality of weights.
17.   Apparatus
as claimed in any one or more of the preceding claims and including handle bar
and/or hand grip means arranged to be gripped by a user when standing on the
footplates.
18.   Apparatus
as claimed in Claim 17, wherein the handlebar and/or hand grip means are
pivotally mounted to the apparatus.
19.   Apparatus
as claimed in Claim 18, wherein they handlebar and/or hand grip means are
pivotally mounted in a resilient manner.
20.   Apparatus
as claimed in Claim 18 or 19, wherein they handlebar and/or hand grip means can
be rotated to different positions prior to use or as part of an exercise
routine.
21.   Apparatus
as claimed in any one or more of the preceding claims, wherein each of the
support-plates can be moved relative to the paths of travel so as to vary the
angle of inclination of the support-plates thereto.
22.   Apparatus
as claimed in any one or more of the preceding claims, wherein the distance
and/or position between the support-plates and a track can be varied and, if
required, some form of elliptical motion can be achieved between the footplate
and the track during travel over the path of motion.
ABSTRACT
EXERCISE ROUTINE
The present
invention provides for an exercise apparatus comprising a pair of
support-plates such as foot plates arranged for reciprocal motion along
adjacent and parallel paths of travel which can be defined by an associated,
and preferably gently concave, track serving to present a support surface for
supporting the said support-plates and along-which the support-plates move
during the reciprocal motion; the support surface further serving to define the
paths of travel, and wherein the support surface further defines, at least in
part, a slope for the paths of travel and wherein weight means can be provided
to be moved by way of the footplate and so as to offer resistance to the
movement of plates over the said track.
2011025026.tif 000014
2011025026.tif 000015
2011025026.tif 000016
2011025026.tif 000017
2011025026.tif 000018
2011025026.tif 000019
2011025026.tif 000020